(57)【要約】【課題】グリップエンドに商品価値を高める異質材料のキャップを脱落の恐れがないように確実に固定したグリップ構造体を提供する。【解決手段】弾性材料で筒状に形成されたグリップ本体１と、このグリップ本体１の一端開口部１１を閉塞するキャップ２とを備えたグリップ構造体であって、キャップ２はグリップ本体１よりも硬質の材料で製作され、グリップ本体の一端開口部１１を被覆する被覆板部２１と、その片面に形成された嵌合凸部２２と、嵌合凸部２２に形成された貫通孔２３とを有しており、キャップ２の嵌合凸部２２がグリップ本体１の一端開口部１１に嵌合されると共に、一端開口部１１から嵌合凸部２２の貫通孔２３に充填された弾性材料によってキャップ抜け止め部２４が形成されたグリップ構造体とする。キャップ抜け止め部２４によってキャップ２はグリップ本体１の一端開口部に脱落しないように確実に固定される。【選択図】図２
2013162919.tif 000002
【特許請求の範囲】
【請求項１】
グリップ本体と、このグリップ本体の一端開口部を閉塞するキャップとを備えたグリップ構造体であって、
前記グリップ本体は弾性材料で筒状に形成されており、
前記キャップは前記グリップ本体よりも硬質の材料で製作されたもので、前記グリップ本体の一端開口部を被覆する被覆板部と、この被覆板部の片面に形成された嵌合凸部と、この嵌合凸部に形成された貫通孔とを有しており、
前記キャップの嵌合凸部が前記グリップ本体の一端開口部に嵌合されると共に、前記グリップ本体の一端開口部から前記嵌合凸部の貫通孔に充填された前記弾性材料によってキャップ抜け止め部が形成されていること、
を特徴とするグリップ構造体。
【請求項２】
前記グリップ本体の一端開口部が二重壁構造とされて、その外周壁と内周壁との間に環状空間部が形成されており、
前記キャップの嵌合凸部は環状スリーブ形状に形成されて、前記環状空間部に嵌合されており、
前記環状スリーブ形状の嵌合凸部に一つ以上形成された前記貫通孔に前記外周壁及び前記内周壁から充填された前記弾性材料によって、前記外周壁と前記内周壁を連結する前記キャップ抜け止め部が形成されていること、
を特徴とする請求項１に記載のグリップ構造体。
【請求項３】
前記環状スリーブ形状の嵌合凸部に更にスリットが一つ以上形成されており、前記外周壁及び前記内周壁から前記スリットに充填された前記弾性材料によって、前記外周壁と前記内周壁を連結する架橋部が形成されていること、
を特徴とする請求項２に記載のグリップ構造体。
【発明の詳細な説明】
【技術分野】
【０００１】
本発明は、ゴルフクラブ等のグリップ構造体に関し、更に詳しくは、グリップエンドに商品価値を高めるキャップを脱落の恐れがないように固定したグリップ構造体に関する。
【背景技術】
【０００２】
従来より、ゴルフクラブ等のグリップは、筒状のグリップ本体と、グリップ本体の一端（グリップエンド）の開口を閉塞する閉塞端部とを、エラストマー等で一体に成形したものが一般的であり、グリップエンドの閉塞端部はグリップ本体よりも硬質のエラストマー等で成形されている。
【０００３】
しかしながら、上記のようにグリップ本体とグリップエンドの閉塞端部をエラストマー等で一体に成形したグリップは、美観が良くないため、安価な商品に見えるという問題があった。
【０００４】
かかる問題は、グリップエンドに商品価値を高める装飾性に優れた異質材料の部材を取り付けると、一応、解決することはできる。
【０００５】
ところで、グリップエンドに異質材料の部材を取り付けたグリップ構造体として、本発明者は図６に示すようなゴルフクラブのグリップ構造体を既に提案した（特許文献１）。このグリップ構造体は、グリップ本体１０１の端面１０２に複数の孔１０３を形成し、金属製の円板状ウエイト材１０４から突き出す複数の係合突起１０５を上記の孔１０３にそれぞれ差し込んで、各係合突起１０５の先端の戻り防止部１０５ａを各孔１０３の周縁に係合させることにより、グリップ本体１０1の一端(グリップエンド)に異質材料のウエイト材１０４を取り付けたものである。
【０００６】
かかるグリップ構造体は、ウエイト材１０４の係合突起１０５をグリップ本体１０１の端面１０２の孔１０３に差し込むだけで、簡単にウエイト材１０４をグリップエンドに取り付けることができ、且つ、戻り防止部１０５ａと孔１０３の周縁との係合に逆らって係合突起１０５を孔１０３から引き抜くだけで、ウエイト材１０４をグリップエンドから取り外すことができるため、ウエイト材１０４を重量が異なるものに交換することによって、ゴルフクラブのスイングウエイトの調節を容易に行うことができるものである。
【０００７】
けれども、上記グリップ構造体の技術を適用し、ウエイト材に代えて商品価値を高める異質材料の部材をグリップエンドに取り付ける場合は、以下のような問題があった。
【先行技術文献】
【特許文献】
【０００８】
【特許文献１】特開２０１１−１０４２７０号公報
【発明の概要】
【発明が解決しようとする課題】
【０００９】
即ち、上記特許文献１のグリップ構造体は、係合突起１０５を引き抜く方向の力がウエイト材１０４に作用して、係合突起１０５の先端の戻り防止部１０５ａとグリップ本体１０１の孔１０３の周縁との係合が外れると、ウエイト材１０４がグリップエンド（グリップ本体１０１の端面１０２）から脱落する構造であるため、かかるグリップ構造体の技術を適用して、グリップエンドに商品価値を高める異質材料の部材を取り付ける場合は、取り付け強度（固定強度）が不足して異質材料の部材がグリップエンドから脱落する恐れがあり、異質材料の部材を確実にグリップエンドに固定して商品価値を高めることが難しいという問題があった。
【００１０】
本発明は、上記問題に対処すべくなされたもので、その解決しようとする課題は、グリップエンドに商品価値を高める異質材料の部材（キャップ）を脱落の恐れがないように確実に固定したグリップ構造体を提供することにある。
【課題を解決するための手段】
【００１１】
上記課題を解決するため、請求項１のグリップ構造体の発明は、
グリップ本体と、このグリップ本体の一端開口部を閉塞するキャップとを備えたグリップ構造体であって、
前記グリップ本体は弾性材料で筒状に形成されており、
前記キャップは前記グリップ本体よりも硬質の材料で製作されたもので、前記グリップ本体の一端開口部を被覆する被覆板部と、この被覆板部の片面に形成された嵌合凸部と、この嵌合凸部に形成された貫通孔とを有しており、
前記キャップの嵌合凸部が前記グリップ本体の一端開口部に嵌合されると共に、前記グリップ本体の一端開口部から前記嵌合凸部の貫通孔に充填された前記弾性材料によってキャップ抜け止め部が形成されている、
ことを特徴とするものである。
【００１２】
そして、請求項２のグリップ構造体の発明は、前記請求項１のグリップ構造体の発明において、前記グリップ本体の一端開口部が二重壁構造とされてその外周壁と内周壁との間に環状空間部が形成されており、前記キャップの嵌合凸部は環状スリーブ形状に形成されて前記環状空間部に嵌合されており、前記環状スリーブ形状の嵌合凸部に一つ以上形成された前記貫通孔に前記外周壁及び前記内周壁から充填された前記弾性材料によって、前記外周壁と前記内周壁を連結する前記キャップ抜け止め部が形成されていることを特徴とするものである。
【００１３】
また、請求項３のグリップ構造体の発明は、前記請求項２のグリップ構造体の発明において、前記環状スリーブ形状の嵌合凸部に更にスリットが一つ以上形成されており、前記外周壁及び前記内周壁から前記スリットに充填された前記弾性材料によって、前記外周壁と前記内周壁を連結する架橋部が形成されていることを特徴とするものである。
【００１４】
また、上記の本発明のグリップ構造体においては、前記環状スリーブ形状の嵌合凸部に４つの前記貫通孔と４つの前記スリットが交互に所定の間隔（例えば４５°の角度間隔）をあけて形成されており、これらの貫通孔とスリットに充填された前記弾性材料によって、前記外周壁と前記内周壁を連結する４つの前記キャップ抜け止め部と４つの前記架橋部が交互に形成されていてもよい。
【００１５】
また、前記グリップ本体が前記弾性材料で前記キャップと一体にインサート成形されたものであってもよく、更に、前記キャップがＡＢＳ樹脂の射出成形品にクロムメッキを施したものであってもよい。
【発明の効果】
【００１６】
請求項１のグリップ構造体の発明は、弾性材料で筒状に形成されたグリップ本体の一端開口部（グリップエンドの開口部）に、この開口部を閉塞する硬質の材料で作製されたキャップの嵌合凸部が嵌合され、この嵌合凸部の貫通孔にグリップ本体の一端開口部から充填された弾性材料によってキャップ抜け止め部が形成されているため、このキャップ抜け止め部によってキャップがグリップ本体の一端開口部から抜け落ちないように確実に固定される。
【００１７】
また、請求項２のグリップ構造体の発明のように、キャップの環状スリーブ形状とされた嵌合凸部が、グリップ本体の二重壁構造とされた一端開口部の環状空間部に嵌合されていると、その外周壁と内周壁によって環状スリーブ形状の嵌合凸部が外側と内側から挟持されるため、キャップの嵌合安定性が向上する。しかも、このグリップ構造体のように、環状スリーブ形状の嵌合凸部に一つ以上形成されている貫通孔に充填された弾性材料によって、グリップ本体の一端開口部の外周壁と内周壁を連結するキャップ抜け止め部が形成されていると、キャップ抜け止め部にキャップ抜け出し方向の力が作用したとき、その力が外周壁と内周壁の双方に分散して受け止められるため、キャップ抜け止め部が破損することなくキャップの抜け出しを確実に阻止することができる。
【００１８】
また、請求項３のグリップ構造体の発明のように、キャップの環状スリーブ形状とされた嵌合凸部に更にスリットが一つ以上形成され、グリップ本体の二重壁構造とされた一端開口部の外周壁及び内周壁から上記スリットに充填された弾性材料によって、上記外周壁と上記内周壁を連結する架橋部が形成されていると、この架橋部によってグリップ本体の二重壁構造とされた一端開口部の強度が向上すると共に、キャップの捻じれ（回動）に抗する強度も向上し、キャップの嵌合安定性が一層向上することになる。
【００１９】
そして、上述したように、キャップの環状スリーブ形状とされた嵌合凸部に４つの貫通孔と４つのスリットが交互に所定の間隔（例えば４５°の角度間隔）をあけて形成され、これらの貫通孔とスリットに充填された弾性材料によって、グリップ本体の二重壁構造とされた一端開口部の外周壁と内周壁を連結する４つのキャップ抜け止め部と４つの架橋部が交互に形成されたものは、キャップの嵌合安定性、取り付け強度（固定強度）、グリップ本体の二重壁構造とされた一端開口部の強度、キャップの捻じれに抗する強度等が過不足なくバランスし、キャップを最適な取り付け状態で取り付けることができる。
【００２０】
また、上述したように、グリップ本体が弾性材料でキャップと一体にインサート成形されたものは、効率良くグリップ構造体を製造することができ、更に、キャップがＡＢＳ樹脂の射出成形品にクロムメッキを施したものであると、キャップの優れた美観によってグリップ構造体の商品価値を高めることができる。
【図面の簡単な説明】
【００２１】
【図１】（ａ）は本発明の一実施形態に係るグリップ構造体の正面図、（ｂ）は同グリップ構造体の分解図である。
【図２】（ａ）は同グリップ構造体の要部拡大縦断面図、（ｂ）は同グリップ構造体の分解縦断面図である。
【図３】図２のＡ−Ａ線に沿った水平断面図である。
【図４】裏返したキャップの斜視図である。
【図５】裏返した他のキャップの斜視図である。
【図６】グリップ構造体の従来例を示す部分縦断面図である。
【発明を実施するための形態】
【００２２】
以下、図面を参照しながら、本発明に係るグリップ構造体の一実施形態を説明する。但し、本発明はかかる実施形態のみに制限されるものではない。
【００２３】
図１〜図３はゴルフクラブのグリップ構造体を例示したものであって、図示のように、このグリップ構造体は、グリップ本体１と、このグリップ本体１の一端開口部１１を閉塞するキャップ２とを備えている。
【００２４】
グリップ本体１は、成形可能な弾性材料を用いて、後述するようにキャップ２と一体的に筒状にインサート成形されたものであり、このグリップ本体１にはゴルフクラブのシャフト３が他端開口部１２から挿着されている。そして、このグリップ本体１の外周面には、例えばシボ加工により、滑り止めを兼ねた細かい凹凸模様１３が形成されている。
【００２５】
図２に示すように、シャフト３が挿着されるグリップ本体１の内径は一定であるが、外径はグリップ本体１の一端側（グリップエンド側）に近づくにつれて漸増している。そして、肉厚が最大となったグリップ本体１の一端開口部１１の周壁は二重壁構造とされ、その外周壁１１ａと内周壁１１ｂとの間に環状空間部１２ｃが形成されている。
【００２６】
グリップ本体１の弾性材料としては、例えばゴムや合成樹脂エラストマー等が好ましく使用されるが、これらに限定されるものではなく、インサート成形が可能でグリップに適した弾力性や柔軟性を有する材料であれば、全て使用可能である。
【００２７】
キャップ２は、グリップ本体１の弾性材料よりも硬質の材料、例えば、金属や硬質の合成樹脂等で製作されたもので、図１、図２、図４に示すように、グリップ本体１の一端開口部１１を被覆する円形の被覆板部２１と、この被覆板部２１の片面（裏面）に形成された嵌合凸部２２と、この嵌合凸部２２に形成された貫通孔２３とを有している。
【００２８】
キャップ２は、優れた美観によってグリップ構造体の商品価値を高めることができ、強度もあるという観点から、合成樹脂製で表面にメッキ処理が施されたキャップであってもよい。なかでも、ＡＢＳ樹脂の射出成形品にクロムメッキを施したキャップ２は、特に優れた美観によってグリップ構造体の商品価値を高めることができ、かつ強度もあるため、極めて好ましい。
【００２９】
この実施形態におけるキャップ２は、図４に示すように、嵌合凸部２２が環状スリーブ形状に形成されており、この環状スリーブ形状の嵌合凸部２２は４つのスリット２４によって円周方向に四分割されている。そして、この四分割された嵌合凸部２２に４つの上記貫通孔２３が形成されている。従って、この環状スリーブ形状の嵌合凸部２２は、４つの略円状の貫通孔２３と４つの略矩形状のスリット２４が交互に４５°の角度間隔をあけて形成された四分割構造となっている。なお、図２、図４において、２５はグリップ本体１にシャフト３を挿着するときの空気抜きの孔である。
【００３０】
上記キャップ２の嵌合凸部２２は、図２（ａ）に示すように、グリップ本体１の二重壁構造とされた一端開口部１１の環状空間部１１ｃに嵌合されている。そして、インサート成形時に一端開口部１１の外周壁１１ａ及び内周壁１１ｂから嵌合凸部２２の４つの貫通孔２３に充填された前記弾性材料によって、外周壁１１ａと内周壁１１ｂを連結する４つのキャップ抜け止め部１１ｄが貫通孔２３を通じて形成されており、このキャップ抜け止め部１１ｄによってキャップ２の嵌合凸部２２が抜け出し不能に固定されている。即ち、貫通孔２３を埋めているキャップ抜け止め部１１ｄが、グリップ本体１と一体化されており、これによりキャップ２がグリップ本体１に確実に固定されている。
【００３１】
また、図３に示すように、インサート成形時に外周壁１１ａ及び内周壁１１ｂから嵌合凸部２２の４つのスリット２４に充填された前記弾性材料によって、外周壁１１ａと内周壁１１ｂを連結する４つの架橋部１１ｅがキャップ抜け止め部１１ｄと交互に形成されており、この架橋部１１ｅによってグリップ本体１の二重壁構造とされた一端開口部１１の強度が高められている。
【００３２】
かかる構成のグリップ構造体は、グリップ本体１を成形する金型の端部（一端開口部１１を成形する金型部分）にキャップ２を内装し、前記合成樹脂エラストマー等の弾性材料を金型内に注入してグリップ本体１をキャップ２と一体にインサート成形することにより、効率良く製造することができる。
【００３３】
上記のように、このグリップ構造体は、グリップ本体１をキャップ２と一体にインサート成形する際に、キャップ２の貫通孔２３に弾性材料を充填し、グリップ本体１の外周壁１１ａと内周壁１１ｂを連結するキャップ抜け止め部１１ｄを貫通孔２３を通じて形成したものであるから、図１（ｂ）、図２（ｂ）に示すようにグリップ本体１とキャップ２を分離することは不可能であるが、理解を容易にするために、敢えてグリップ本体１とキャップ２を分離して図示している。
【００３４】
この実施形態のグリップ構造体は、キャップ２の環状スリーブ形状とされた嵌合凸部２２が、グリップ本体１の二重壁構造とされた一端開口部１１の外周壁１１ａと内周壁１１ｂによって外側と内側から挟持されるため、キャップ２の嵌合安定性に優れている。
【００３５】
そして、キャップの抜け出し方向の力が、貫通孔２３を通じて外周壁１１ａと内周壁１１ｂを連結するキャップ抜け止め部１１ｄに作用すると、その力が外周壁１１ａと内周壁１１ｂの双方に分散して受け止められ、キャップ抜け止め部１１ｄが破損することなくキャップ２の抜け出しを阻止するため、キャップ２がグリップ本体１の一端開口部１１（グリップエンドの開口部）に確実に固定され、一端開口部１１から脱落する恐れはない。このようにキャップ２を確実に固定できるので、キャップ２として前述したＡＢＳ樹脂の射出成形品にクロムメッキを施したものを使用すると、その優れた美観によってグリップ構造体の商品価値を向上させることができる。
【００３６】
また、このグリップ構造体のように、嵌合凸部２２のスリット２４を通じて外周壁１１ａと内周壁１１ｂを連結する架橋部１１ｅが形成されていると、グリップ本体１の二重壁構造とされた一端開口部１１の強度が向上すると共に、キャップ２の捻じれ（回動）に抗する強度も向上するので、キャップ２の嵌合安定性を一層向上させることができる。
【００３７】
この実施形態におけるキャップ２は、環状スリーブ形状の嵌合凸部２２に貫通孔２３とスリット２４を４５°の角度間隔をあけて交互に４つずつ形成しているが、これらは一つ以上ずつ形成すればよく、その数は特に限定されない。また、貫通孔２３の形状は、円形状以外の矩形状や三角形状であってもよく、スリット２４の形状も、矩形状以外の形状であってもよい。
【００３８】
但し、この実施形態のように貫通孔２３とスリーブ２４を４５°の角度間隔をあけて交互に４つずつ形成したキャップ２を用いて、グリップ本体１の一端開口部１１の外周壁１１ａと内周壁１１ｂを結合するキャップ抜け止め部１１ｄと架橋部１１ｅを４５°の角度間隔をあけて交互に４つずつ形成したグリップ構造体は、キャップ２の嵌合安定性、取り付け強度（固定強度）、グリップ本体１の二重壁構造とされた一端開口部１１の強度、キャップ２の捻じれに抗する強度等が過不足なくバランスし、キャップ２を最適な取り付け状態で取り付けることができるので、極めて好ましい。
【００３９】
また、スリット２４は省略可能であり、例えば、図５に示すキャップ２のように、環状スリーブ形状の嵌合凸部２２に貫通孔２３のみを等角度間隔をあけて１つ以上（図５では８つ）形成してもよい。このようなキャップ２を用いても、貫通孔２３を通じてグリップ本体１の一端開口部１１の外周壁１１ａと内周壁１１ｂを連結するキャップ抜け止め部１１ｄが一つ以上形成されるので、グリップ本体１の一端開口部１１にキャップ２を確実に固定することができる。なお、このキャップ２の他の構成は、前記実施形態におけるキャップ２のそれと同様であるので、図５において対応する部位に対応する符号を付し、重複する説明は省略する。
【００４０】
また、キャップ２の嵌合凸部２２の形状は環状スリーブ形状に限定されるものではなく、グリップ本体１の一端開口部１１に嵌合可能な形状で、且つ、キャップの抜け出し方向と交差する方向に貫通孔を形成可能な形状であれば、どのような形状であってもよい。
【００４１】
本発明のグリップ構造体は、ゴルフクラブ、テニスラケット、バトミントンラケット等、グリップを有する全ての物品に適用可能であり、これら物品の商品価値を高めることができる。
【符号の説明】
【００４２】
１    グリップ本体
２    キャップ
３    シャフト
１１  グリップ本体の一端開口部
１１ａ  外周壁
１１ｂ  内周壁
１１ｃ  環状空間部
１１ｄ  キャップ抜け止め部
１１ｅ  架橋部
２１  キャップの被覆板部
２２  キャップの嵌合凸部
２３  貫通孔
２４  スリット
【図１】
2013162919.tif 000003
【図２】
2013162919.tif 000004
【図３】
2013162919.tif 000005
【図４】
2013162919.tif 000006
【図５】
2013162919.tif 000007
【図６】
2013162919.tif 000008
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
グリップ本体と、このグリップ本体の一端開口部を閉塞するキャップとを備えたグリップ構造体であって、
前記グリップ本体は弾性材料で筒状に形成されており、
前記キャップは前記グリップ本体よりも硬質の材料で製作されたもので、前記グリップ本体の一端開口部を被覆する被覆板部と、この被覆板部の片面に形成された嵌合凸部と、この嵌合凸部に形成された貫通孔とを有しており、
前記キャップの嵌合凸部が前記グリップ本体の一端開口部に嵌合されると共に、前記グリップ本体の一端開口部から前記嵌合凸部の貫通孔に充填された前記弾性材料によってキャップ抜け止め部が形成されており、
前記グリップ本体の一端開口部が二重壁構造とされて、その外周壁と内周壁との間に環状空間部が形成されており、
前記キャップの嵌合凸部は環状スリーブ形状に形成されて、前記環状空間部に嵌合されており、
前記環状スリーブ形状の嵌合凸部に一つ以上形成された前記貫通孔に前記外周壁及び前記内周壁から充填された前記弾性材料によって、前記外周壁と前記内周壁を連結する前記キャップ抜け止め部が形成されており、
前記環状スリーブ形状の嵌合凸部に更にスリットが一つ以上形成されており、前記外周壁及び前記内周壁から前記スリットに充填された前記弾性材料によって、前記外周壁と前記内周壁を連結する架橋部が形成されていること、
を特徴とするグリップ構造体。
【手続補正２】
【補正対象書類名】明細書
【補正対象項目名】００１２
【補正方法】変更
【補正の内容】
【００１２】
そして、本発明のグリップ構造体の発明は、前記請求項１のグリップ構造体の発明において、前記グリップ本体の一端開口部が二重壁構造とされてその外周壁と内周壁との間に環状空間部が形成されており、前記キャップの嵌合凸部は環状スリーブ形状に形成されて前記環状空間部に嵌合されており、前記環状スリーブ形状の嵌合凸部に一つ以上形成された前記貫通孔に前記外周壁及び前記内周壁から充填された前記弾性材料によって、前記外周壁と前記内周壁を連結する前記キャップ抜け止め部が形成されていることを特徴とするものである。
【手続補正３】
【補正対象書類名】明細書
【補正対象項目名】００１３
【補正方法】変更
【補正の内容】
【００１３】
また、本発明のグリップ構造体の発明は、前記請求項２のグリップ構造体の発明において、前記環状スリーブ形状の嵌合凸部に更にスリットが一つ以上形成されており、前記外周壁及び前記内周壁から前記スリットに充填された前記弾性材料によって、前記外周壁と前記内周壁を連結する架橋部が形成されていることを特徴とするものである。
【手続補正４】
【補正対象書類名】明細書
【補正対象項目名】００１７
【補正方法】変更
【補正の内容】
【００１７】
また、本発明のグリップ構造体の発明のように、キャップの環状スリーブ形状とされた嵌合凸部が、グリップ本体の二重壁構造とされた一端開口部の環状空間部に嵌合されていると、その外周壁と内周壁によって環状スリーブ形状の嵌合凸部が外側と内側から挟持されるため、キャップの嵌合安定性が向上する。しかも、このグリップ構造体のように、環状スリーブ形状の嵌合凸部に一つ以上形成されている貫通孔に充填された弾性材料によって、グリップ本体の一端開口部の外周壁と内周壁を連結するキャップ抜け止め部が形成されていると、キャップ抜け止め部にキャップ抜け出し方向の力が作用したとき、その力が外周壁と内周壁の双方に分散して受け止められるため、キャップ抜け止め部が破損するこ
となくキャップの抜け出しを確実に阻止することができる。
【手続補正５】
【補正対象書類名】明細書
【補正対象項目名】００１８
【補正方法】変更
【補正の内容】
【００１８】
また、本発明のグリップ構造体の発明のように、キャップの環状スリーブ形状とされた嵌合凸部に更にスリットが一つ以上形成され、グリップ本体の二重壁構造とされた一端開口部の外周壁及び内周壁から上記スリットに充填された弾性材料によって、上記外周壁と上記内周壁を連結する架橋部が形成されていると、この架橋部によってグリップ本体の二重壁構造とされた一端開口部の強度が向上すると共に、キャップの捻じれ（回動）に抗する強度も向上し、キャップの嵌合安定性が一層向上することになる。